(57)【要約】【課題】駆動ファンの回転速度に比例してウェイト部が駆動ファン側へ拡開しながら自動的にグリルが開口し、且つグリル全体の自重によって自動的にグリルが閉口するように構成することにより、別途の作動電源を必要とすることなく簡単な構造でシャッタを開閉させることができる、遠心力を用いた送風ファン用シャッタ開閉構造を提供する。【解決手段】遠心力を用いた送風ファン用シャッタ開閉構造は、複数のグリルが同時に開閉されるシャッタを含む送風ファン用シャッタ開閉構造において、中央に軸部が設けられ、駆動ファンの前面部の中央に装着されて一体に回転するベースブレートと、駆動ファンの回転力に比例して可変する遠心力の強さに応じて軸部の長手方向にスライドしながら遠心力が可変するウェイト部と、ウェイト部とグリルとの間にヒンジで連結され、遠心力とグリルの自重によってグリルを開閉させる二折リンク部とを含んでなる。【選択図】図３
2011027404.tif 000002
【特許請求の範囲】
【請求項１】
複数のグリルが同時に開閉されるシャッタを含む送風ファン用シャッタ開閉構造において、
中央に軸部を備え、駆動ファンの前面部の中央に装着されて一体に回転するベースブレートと、
前記駆動ファンの回転力に比例して可変する遠心力の強さに応じて軸部の長手方向にスライドしながら遠心力が可変するウェイト部と、
前記ウェイト部と前記グリルとの間にヒンジで連結され、前記遠心力と前記グリルの自重によって前記グリルを開閉させる二折リンク部とを含んでなることを特徴とする、遠心力を用いた送風ファン用シャッタ開閉構造。
【請求項２】
前記ウェイト部は、前記駆動ファンの回転力が大きくなるにつれて前記駆動ファン側に向かってスライドするように構成されたことを特徴とする、請求項１に記載の遠心力を用いた送風ファン用シャッタ開閉構造。
【請求項３】
前記ウェイト部は、
前記軸部に沿ってスライド可能に設置されたスライド部材と、
前記スライド部材に一端がヒンジで固定された少なくとも一つの第１アームと、
前記第１アームと同一の方向に回転できるように、一端が前記ベースプレートにヒンジで固定され、長さの中間部分に前記第１アームの他端がヒンジで固定された第２アームと、
前記第２アームの他端に取り付けられたウェイトとを含んでなることを特徴とする、請求項１または２に記載の遠心力を用いた送風ファン用シャッタ開閉構造。
【請求項４】
前記スライド部材は、前記軸部に長手方向に設けられた長孔によって前記グリルの開閉による最大移送長さが制限されることを特徴とする、請求項３に記載の遠心力を用いた送風ファン用シャッタ開閉構造。
【請求項５】
前記ウェイト部は自重によってシャッタが閉となるように前記複数のグリル全体の重さより軽いことを特徴とする、請求項３に記載の遠心力を用いた送風ファン用シャッタ開閉構造。
【発明の詳細な説明】
【技術分野】
【０００１】
本発明は、遠心力を用いた送風ファン用シャッタ開閉構造に係り、さらに詳しくは、駆動ファンの遠心力を用いて、複数のグリル状のシャッタが駆動ファンの回転速度に比例して開閉されるようにした、遠心力を用いた送風ファン用シャッタ開閉構造に関する。
【背景技術】
【０００２】
一般に、送風ファンは、外気を内部に流入させて内部を換気させるのに用いられる。このような送風ファンは、通常、送風ファンを使用しないときに外部からの粉塵や雨水などの流入を遮断するために、シャッタが備えられる。
【０００３】
このような従来の送風ファンは、図１に示すように、ハウジングＨの内部に、駆動ファンＰが空気の流動方向に従って回転するように設置される。ハウジングＨの一側には外気を遮断するためのシャッタＳが装着される。シャッタＳは、一般に、長いチャネル形状からなる複数のグリルＧと、これらのグリルＧが同時に上下に揺動運動し得るようにするリンク構造Ｒとを含んでなる。
【０００４】
特に、各グリルＧは、ハウジングＨの両側縁部にヒンジで固定され、回動可能に設置される。リンク構造Ｒは、ハウジングＨの一側縁部と並んで設置された作動リンクＯＬ、およびこの作動リンクＯＬと各グリルＧとの間にヒンジで連結された補助リンクＡを含む。
【０００５】
このように構成されたシャッタＳは、ハウジングＨの外部から作動リンクＯＬを下方に引っ張ると、各補助リンクＡが各グリルＧを回転させて開口させるように構成されている。
【発明の概要】
【発明が解決しようとする課題】
【０００６】
ところが、上述した従来のシャッタ開閉構造は、次の問題点がある。
１）シャッタ開閉が手動的に行われるため、シャッタが閉口した状態で駆動ファンのみが駆動されるおそれがある。
２）かかる問題のために、ハウジングに駆動ファンが駆動されるにつれて自動的に開閉されるシャッタ構造が開発されている。ところが、このような自動開閉シャッタ構造は、構造が複雑であるうえ、シャッタ構造の操作によるエネルギーの消費が多い。
３）エネルギー消費を減少させるための他の方法として、遠心力を用いた開閉構造が多く開発されている。ところが、このような従来の遠心力を用いた開閉構造は、作動部材が駆動ファンの外側へ移動するにつれてグリルが開閉されるように構成されたため、遠心力の利用効率が低下するという問題点が発生する。
【０００７】
本発明は、上述した従来の技術の問題点に鑑みてなされたもので、その目的は、駆動ファンの回転速度に比例してウェイト部が駆動ファン側へ拡開しながら自動的にグリルが開となり、且つグリル全体の自重によって自動的にグリルが閉となるように構成することにより、別途の作動電源を必要とすることなく簡単な構造でシャッタを開閉させることができる、遠心力を用いた送風ファン用シャッタ開閉構造を提供することにある。
【課題を解決するための手段】
【０００８】
上記目的を達成するために、本発明によれば、複数のグリルが同時に開閉されるシャッタを含む送風ファン用シャッタ開閉構造において、中央に軸部を備え、駆動ファンの前面部の中央に装着されて一体に回転するベースブレートと、駆動ファンの回転力に比例して可変する遠心力の強さに応じて軸部の長手方向にスライドしながら遠心力が可変するウェイト部と、ウェイト部とグリルとの間にヒンジで連結され、遠心力とグリルの自重によってグリルを開閉させる二折リンク部とを含んでなる、遠心力を用いた送風ファン用シャッタ開閉構造を提供する。
【０００９】
特に、ウェイト部は、駆動ファンの回転力が大きくなるにつれて駆動ファン側に向かってスライドするように構成されたことを特徴とする。このようなウェイト部は、軸部に沿ってスライドできるように設けられたスライド部材と、スライド部材に一端がヒンジで固定された少なくとも一つの第１アームと、第１アームと同一の方向に回転できるように、一端がベースプレートにヒンジで固定され、長さの中間部分に第１アームの他端がヒンジで固定された第２アームと、第２アームの他端に取り付けられたウェイトとを含んでなる。特に、スライド部材は、グリルの開閉による最大移送長さが制限されるように、軸部に長手方向に設けられた長孔に沿ってスライドするように設けられたことを特徴とする。最後に、ウェイト部は、自重によってシャッタが閉となるように複数のグリル全体の重さより軽いことを特徴とする。
【発明の効果】
【００１０】
本発明によれば、次の効果がある。
１）構造が簡単であるうえ、駆動ファンの回転力を用いて動作させるため、別途の作動力または作動構造を必要としない。
２）ウェイト部の重さより重いグリルの自重によってシャッタが自動的に閉となるため、シャッタを閉状態にさせる別途の装置を構成しなくてもよい。
３）構造が簡単であるため、メンテナンスの面で有利である。
４）駆動ファンの回転力に比例する遠心力によってシャッタが開くため、外気の流動量に比例してシャッタの開閉状態が自動的に調節される。
【図面の簡単な説明】
【００１１】
【図１】従来の送風ファンの構成を説明するために概略的に示す側断面図である。
【図２】本発明の実施の形態に係る遠心力を用いた送風ファン用シャッタ開閉構造を概略的に示す側断面図である。
【図３】本発明の実施の形態に係る送風ファン用シャッタ開閉構造の全体構成を説明するための斜視図である。
【図４ａ】本発明の実施の形態に係るシャッタ開閉構造の作動前の状態を概略的に示す側断面図である。
【図４ｂ】本発明の実施の形態に係るシャッタ開閉構造の作動後の状態を概略的に示す側断面図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
図２は本発明の実施の形態に係る遠心力を用いた送風ファン用シャッタ開閉構造を概略的に示す側断面図、図３は本発明の実施の形態に係る送風ファン用シャッタ開閉構造の全体構成を説明するための斜視図である。ここで、従来の構成と同一の構成については同一の符号を付する。
【００１４】
本発明の実施の形態に係るシャッタ開閉構造は、駆動ファンＰと一体に回転するベースプレート１００と、この駆動ファンＰの回転速度による遠心力の可変程度に応じて駆動ファンＰ側へ動くウェイト部２００と、ウェイト部２００のスライド動作によって実質的にグリルＧを開閉させる二折リンク部３００とを含んでなる。
【００１５】
次に、添付図面を参照してより具体的に説明する。
【００１６】
ベースプレート１００は、駆動ファンＰの前面にボルトなどの固定手段（図示せず）によって固定される。特に、ベースプレート１００は、駆動ファンＰと一体に回転する構成要素であるため、回転による遠心力を均一に受けることができるように円板状に製作することが好ましい。
【００１７】
また、ベースプレート１００の一側面には駆動ファンＰの外側を向くように軸部１１０が設けられる。この軸部１１０には、後述するウェイト部２００の作動長さを制限することができるように長孔１１１が設けられる。特に、この長孔１１１は、軸部１１０に長手方向に沿って設けられ、軸部１１０の外周面に１〜４つを備えることができる。図２では１つの長孔１１１を備えた例を示しているが、ウェイト部２００の安定的なスライド案内のためには４つの長孔を備えることが好ましい。
【００１８】
ウェイト部２００は、所定の重さを有するウェイト２４０と、遠心力によって前記ウェイト２４０が外側へ拡開し得るように支持する第２アーム２３０と、前記軸部１１０に沿ってスライドするスライド部材２１０と、第２アーム２３０とスライド部材２１０間の回転干渉を無くすための第１アーム２２０とを含んでなる。
【００１９】
スライド部材２１０は、軸部１１０に外嵌されて長手方向にスライドするように設置される。特に、このスライド部材２１０には、端部が前記長孔１１１に挿入されて作動長さを制限し得るようにストッパ２１１が備えられる。そして、スライド部材２１０の前側には軸部１１０の回転に対して空回転できるようにベアリング支持部２１２が備えられる。このベアリング支持部２１２は、ベアリング２１３を備え、軸部１１０が回転しても後述の二折リンク部３００が回転しないようにすることが好ましい。また、ベアリング支持部２１２はベアリング自体であってもよい。
【００２０】
第１アーム２２０は、一端がスライド部材２１０に第１ヒンジ２２１で連結され、他端が第２アーム２３０の長さの中間部分に第２ヒンジ２２２で連結される。そして、第２アーム２３０は、一端が第３ヒンジ２３１を介してベースプレート１００に装着される。この際、第２アーム２３０は第１アーム２２０と同一の方向に回転できるように設置する。
【００２１】
ウェイト２４０は第２アーム２３０の他端に固定される。特に、このウェイト２４０は、各グリルＧの全体重量より軽いものを使用することが好ましい。これは、駆動ファンＰが停止すると、グリルＧの全体荷重によって自動的に閉となるようにするためである。
【００２２】
本発明の好適な実施の形態において、第１アーム２２０、第２アーム２３０、およびウェイト２４０はスライド部材２１０に複数設置することが可能である。すなわち、図２ではこれらの構成要素を１組として構成し、２組を１８０°の角度で設置した例を挙げているが、これらの構成要素は３組を１２０°の角度で設置してもよい。
【００２３】
二折リンク部３００は、両端がそれぞれグリルＧとベアリング支持部２１２にそれぞれヒンジ３１０、３２０で固定される。このようにヒンジで固定された二折リンク部３００は、スライド部材２１０が軸部１１０に沿ってスライドするにつれてグリルＧを引き出し或いは押し込むことにより発生する回転干渉を無くしながらグリルＧを開口させる。ヒンジ３２０にはグリルＧに装着できるように装着ブラケット３２１が備えられる。
【００２４】
以下、添付図面を参照して、本発明の実施の形態に係る遠心力を用いた送風ファン用シャッタ開閉構造の作動状態について考察する。
【００２５】
図４ａは本発明の実施の形態に係るシャッタ開閉構造の作動前の状態を概略的に示す側断面図、図４ｂは本発明の実施の形態に係るシャッタ開閉構造の作動後の状態を概略的に示す側断面図である。
【００２６】
まず、図４ａに示すように、駆動ファンＰが作動前の状態では、第１アーム２２０と第２アーム２３０が軸部１１０に向かって折られた状態にある。このため、スライド部材２１０は、軸部１１０の端部、好ましくは長孔１１１の外側端部に係止される。勿論、このときの各グリルＧは「閉」状態にある。
【００２７】
このような状態で駆動ファンＰが駆動すると、ウェイト部２００は遠心力を受ける。これにより、図４ｂに示すように、ウェイト２４０が外側へ拡開する。よって、スライド部材２１０が軸部１１０に沿ってベースプレート１００側へ移動する。この際、第１アーム２２０は第２アーム２３０とスライド部材２１０間の回転干渉を無くすことができるように回転する。
【００２８】
このようにスライド部材２１０が回転すると、ここに装着された二折リンク部３００を引っ張ることになる。この際、二折リンク部３００はベアリング２１３の支持によって回転しない。よって、二折リンク３００によって引っ張れる分だけ、すなわち駆動ファンＰの回転速度に比例する遠心力によってグリルが開く。
【００２９】
一方、駆動ファンＰを停止させると、これに比例してウェイト２４０に受ける遠心力も比例して漸次減少する。これにより、グリルＧの自重によってスライド部材２１０が原位置に戻ってグリルＧが閉になる。
【００３０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３１】
１００    ベースプレート
１１０    軸部
１１１    長孔
２００    ウェイト部
２１０    スライド部材
２１１    ストッパ
２１２    ベアリング支持部
２１３    ベアリング
２２０    第１アーム
２２１    第１ヒンジ
２２２    第２ヒンジ
２３０    第２アーム
２３１    第３ヒンジ
２４０    ウェイト
３００    二折リンク
３１０、３２０    ヒンジ
Ｇ    グリル
Ｐ    駆動ファン
Ｓ    シャッタ
【図１】
2011027404.tif 000003
【図２】
2011027404.tif 000004
【図３】
2011027404.tif 000005
【図４ａ】
2011027404.tif 000006
【図４ｂ】
2011027404.tif 000007